(57)【特許請求の範囲】
【請求項１】
粒状の収容物を収容した容器本体と、前記容器本体の一端部に形成された容器開口部と、前記容器本体の内側から前記容器開口部に連通し収容された前記収容物を一列に整列させる導入部と、前記導入部の前記容器開口部近傍に位置した固定係止部と、前記固定係止部に対向して突出する可動係止部と、この可動係止部に設けられこの可動係止部が所定位置から前記固定係止部と離れる方向に移動すると前記所定位置に戻す力が働く弾性体とを有した計量容器において、
前記容器開口部の外側に位置して、前記容器開口部に対向する対向物との間に形成され、収容された前記収容物が所望の数で収容される大きさを有する収容空間と、
前記可動係止部と一体に設けられ、前記収容物を取り出す取出口から外側に突出した押込部とを備え、
前記弾性体は、前記可動係止部及び前記押込部と一体に形成され、
前記固定係止部と前記可動係止部の間隔は、前記可動係止部が前記所定位置にあるときは前記収容物の外径よりも小さく、前記押込部を押圧して前記可動係止部を前記弾性体の弾性力に抗して前記固定係止部から離れる方向に移動させると前記収容物の外径よりも広くなり、前記可動係止部を前記対向物に押し付けている限り前記収容物の外径よりも広い幅を維持し、前記収容物が前記取出口を通過可能となり、
前記容器開口部から前記収容空間に所望の数が移動し、前記収納空間に前記内容物が充填されるとともに、前記収容空間への前記内容物の充填により、前記固定係止部と前記可動係止部の間を前記収容物が通過するのを阻止し、前記対向物から前記押込部を離すと、前記可動係止部が前記弾性体の弾性力により元の位置に戻り、前記収容空間内への前記内容物の進入が阻止されることを特徴とする計量容器。
【請求項２】
前記容器本体は上方が開口された内ケースと、前記内ケースを摺動可能に嵌合する外ケースから成り、
前記外ケースには、前記容器開口部と、前記導入部の片側一方の側壁部を形成する第一導入部突起が設けられ、
前記内ケースには、前記導入部の他方の側壁部を形成する第二導入部突起と、前記外ケースの前記容器開口部と連通する内ケース開口部と、前記内ケース開口部の一方の端部に形成された前記固定係止部とが設けられ、
前記内ケースは、前記内ケース開口部が前記外ケースの前記容器開口部に一致する方向に摺動し、前記内ケース開口部と前記容器開口部が一致するとき、前記内ケースの前記押込部が前記容器開口部の外側に突出し、前記第一導入部突起と前記第二導入部突起は互いに平行に位置して一対の側壁部となりその間に前記導入部が形成され、
前記押込部を前記対向物に押し当てて押し込むと、前記弾性体が撓み前記可動係止部が前記固定係止部から離れ、前記収容物が前記容器開口部から取り出し可能となることを特徴とする請求項１記載の計量容器。
【請求項３】
前記内ケースの前記内ケース開口部が前記外ケースの前記容器開口部から所定距離離れたとき、前記第一導入部突起と前記第二導入部突起が互いに連続し、前記内ケース開口部と前記内ケースに収容された前記収容物を区切ることを特徴とする請求項２記載の計量容器。
【請求項４】
前記容器開口部には、前記導入部が円筒状に設けられたノズル中栓と、前記ノズル中栓の先端面に開口された前記導入部の取出口と、前記取出口の近傍に位置した前記固定係止部と、前記導入部の前記固定係止部と対向する部分に形成された切欠部と、前記切欠部に移動可能に形成された前記可動係止部と、前記可動係止部に一端部が連結された前記弾性体が設けられ、前記弾性体の前記可動係止部が設けられた側とは反対側に位置した部分は、前記導入部の先端部よりも突出して折り返し前記ノズル中栓の一部に取り付けられていることを特徴とする請求項１記載の計量容器。
【請求項５】
前記容器本体は上方が開口された内ケースと、前記内ケースを摺動可能に嵌合する外ケースから成り、
前記外ケースには、前記内ケースの摺動方向に交差して開口され前記内ケースが突没する開口部が設けられ、
前記内ケースには、前記外ケースから摺動させて露出し摺動方向に交差して開口する内ケース開口部と、前記内ケース開口部の摺動方向の前記外ケース側の端部に形成された前記固定係止部と、前記内ケース開口部の他方の端部に形成され前記内ケースの摺動方向に弾性変形する前記弾性体と、前記弾性体に設けられ前記内ケース開口部の端部から少し離れた位置に設けられ内ケース開口部に対して斜めに交差する側壁部である第一ガイドリブと、前記固定係止部に対向して前記第一ガイドリブに設けられた前記可動係止部と、前記内ケースに設けられ前記内ケースの中心付近に延出し前記内ケースの側面との間で前記第一ガイドリブへ向かう通路部を形成する第二ガイドリブが設けられ、
前記外ケースから前記内ケースを突出させた状態で、突出した前記弾性体を前記内ケース内側に押し込むことにより前記弾性体が撓み、前記可動係止部と前記固定係止部の間隔が前記収容物の径よりも大きくなり、前記収容物が前記可動係止部と前記固定係止部の間を通過し、
前記弾性体の撓みにより前記弾性体の端部が前記固定係止部に接近して前記収容物の径よりも間隔が狭くなり、前記収容物が前記弾性体の端部と前記固定係止部の間に保持され、
再び前記弾性体の弾性変形が復元すると、前記可動係止部と前記固定係止部の間隔が前記収容物の径よりも小さくなるとともに、前記固定係止部と前記弾性体の端部との間隔が前記収容物の径よりも大きくなり前記収容物が取り出し可能となることを特徴とする請求項１記載の計量容器。
【請求項６】
前記弾性片の前記第一ガイドリブよりも前記内ケース開口部側に設けられ前記収容物を保持する保持板と、前記保持板に当接した前記収容物を支持する整列突起が前記内ケース開口部に設けられたことを特徴とする請求項５記載の計量容器。
【請求項７】
前記容器開口部には蓋本体が設けられ、
前記蓋本体には、容器開口部に嵌合される筒状の取付部と、前記取付部を閉鎖する片持ちの板状の前記弾性体と、前記弾性体の先端部と前記取付部との間に形成された前記取出口と、前記弾性体の前記取出口側の先端部に形成され前記容器本体内側に突出するガイド突起と、前記弾性体の先端部に形成され前記容器本体外側に突出する前記押込部と、前記弾性体の先端部に形成され前記取出口へ突出する前記可動係止部と、前記取付部の前記取出口に位置した固定係止部が設けられ、
前記押込部を前記対向物に押し当てると、前記弾性体が撓み前記可動係止部が前記固定係止部から離れ、前記可動係止部と前記固定係止部の間隔が前記収容物の径よりも大きくなり、前記収容物が前記可動係止部と前記固定係止部の間を通過し、
前記弾性体の撓みにより押込部が前記固定係止部に接近して前記収容物の径よりも間隔が狭くなり、前記収容物が前記押込部と前記固定係止部の間に保持され、
再び前記弾性体の弾性変形が復元すると、前記可動係止部と前記固定係止部の間隔が前記収容物の径よりも小さくなるとともに、前記固定係止部と前記押込部との間隔が前記収容物の径よりも大きくなり前記収容物が取り出し可能となることを特徴とする請求項１記載の計量容器。
【発明の詳細な説明】
【技術分野】
【０００１】
この発明は、収容物である錠剤等を収容し、錠剤等を計数して所定の数ずつ取り出す計量容器に関する。
【背景技術】
【０００２】
従来、例えば錠剤を収容する容器として、収容している錠剤を1個ずつまたは所望の数ずつ計数して取り出すものがあった。このように錠剤を取り出す容器は、例えば以下の特許文献１、２に開示されているものがある。
【０００３】
特許文献１に開示されている錠剤容器は、容器本体の口部に蓋体が設けられ、この蓋体は回動自在に枢着され、蓋体には、容器本体に開口する計量室が設けられている。この錠剤容器から収容している錠剤を取り出すときは、蓋体の計量室を容器本体の口部に対向させ、容器本体を傾倒させて容器本体内から計量室内へと１錠の錠剤を移動させる。そして、蓋体を回動させて計量室を外側へ開口し、このとき容器本体の口部は蓋体の後面で閉じられる。次に容器本体を傾けて計量室を下向きにすると、計量室内の１錠の錠剤を自重で落下させて取り出すことができるというものである。
【０００４】
特許文献２に開示されている定形内容物の計数取出容器は、ケースに定形内容物を収容する収容室と、各収容室に通じる取出室とが設けられている。取出室には収容室から定形内容物を1個あて導入する小部屋を形成し、これらの小部屋の一面に、拡開弾性変形可能な狭窄口の取出口を設けると共に、他面に、各小部屋内の定形内容物をその取出口へ向けて押し出しする押釦が設けられている。この計数取出容器から収容している錠剤を取り出すときは、ケースを傾け取出室を下にして、錠剤を各小部屋に１個ずつ入れる。そして、各押釦を押すことにより、錠剤が拡開弾性変形可能な狭窄口に押し付けられ、狭窄口が押し開かれて外部へと押し出され、１個ずつ取り出すことができるものである。
【特許文献１】特開２００２−１０４４６９号公報
【特許文献２】特開平９−２０２３６８号公報
【発明の開示】
【発明が解決しようとする課題】
【０００５】
上記従来の、特許文献１に開示されている技術の場合、錠剤を取り出すときに蓋体を回動させる操作が必要であり手間がかかるものであり、また錠剤は蓋体の回動の際に自重で落下させるため、床等に落として紛失するおそれがあった。特許文献２に開示されている技術の場合、錠剤を取り出すときに押釦を押す操作が必要であり、力と手間がかかるものであり、また特許文献１と同様に錠剤を落として紛失するおそれがあった。
【０００６】
この発明は、上記背景技術の問題点に鑑みてなされたものであり、収容している錠剤等の粒状収容物を簡単な操作で定量だけ取り出すことができる計量容器を提供することを目的とする。
【課題を解決するための手段】
【０００７】
本発明は、丸剤を含む錠剤等の粒状の収容物を収容した容器本体と、前記容器本体の一端部に形成された容器開口部と、前記容器本体の内側から前記容器開口部に連通し収容された前記収容物を一列に整列させる導入部と、前記導入部の前記容器開口部近傍に位置した固定係止部と、前記固定係止部に対向して突出する可動係止部と、この可動係止部に設けられこの可動係止部が所定位置から前記固定係止部と離れる方向に移動すると前記所定位置に戻す力が働く弾性体とを有した計量容器であって、前記容器開口部の外側に位置して、前記容器開口部に対向する対向物との間に形成され、収容された前記収容物が所望の数で収容される大きさを有する収容空間と、前記可動係止部と一体に設けられ、前記収容物を取り出す取出口から外側に突出した押込部とを備え、前記弾性体は、前記可動係止部及び前記押込部と一体に形成され、前記固定係止部と前記可動係止部の間隔は、前記可動係止部が前記所定位置にあるときは前記収容物の外径よりも小さく、前記押込部を押圧して前記可動係止部を前記弾性体の弾性力に抗して前記固定係止部から離れる方向に移動させると前記収容物の外径よりも広くなり、前記可動係止部を前記対向物に押し付けている限り前記収容物の外径よりも広い幅を維持し、前記収容物が前記取出口を通過可能となり、前記容器開口部から前記収容空間に所望の数が移動し、前記収納空間に前記内容物が充填されるとともに、前記収容空間への前記内容物の充填により、前記固定係止部と前記可動係止部の間を前記収容物が通過するのを阻止し、前記対向物から前記押込部を離すと、前記可動係止部が前記弾性体の弾性力により元の位置に戻り、前記収容空間内への前記内容物の進入が阻止される計量容器である。
【０００８】
さらに、前記容器本体は上方が開口された内ケースと、前記内ケースを摺動可能に嵌合する外ケースから成り、前記外ケースには、前記容器開口部と、前記導入部の片側一方の側壁部を形成する第一導入部突起が設けられ、前記内ケースには、前記導入部の他方の側壁部を形成する第二導入部突起と、前記外ケースの前記容器開口部と連通する内ケース開口部と、前記内ケース開口部の一方の端部に形成された前記固定係止部とが設けられ、前記内ケースは、前記内ケース開口部が前記外ケースの前記容器開口部に一致する方向に摺動し、前記内ケース開口部と前記容器開口部が一致するとき、前記内ケースの前記押込部が前記容器開口部の外側に突出し、前記第一導入部突起と前記第二導入部突起は互いに平行に位置して一対の側壁部となりその間に前記導入部が形成され、前記押込部を前記対向物に押し当てて押し込むと、前記弾性体が撓み前記可動係止部が前記固定係止部から離れ、前記収容物が前記容器開口部から取り出し可能となる計量容器である。
【０００９】
さらに、前記内ケースの前記内ケース開口部が前記外ケースの前記容器開口部から所定距離離れたとき、前記第一導入部突起と前記第二導入部突起が互いに連続し、前記内ケース開口部と前記内ケースに収容された前記収容物を区切るものである。
【００１０】
また、前記容器開口部には、前記導入部が円筒状に設けられたノズル中栓と、前記ノズル中栓の先端面に開口された前記導入部の取出口と、前記取出口の近傍に位置した前記固定係止部と、前記導入部の前記固定係止部と対向する部分に形成された切欠部と、前記切欠部に移動可能に形成された前記可動係止部と、前記可動係止部に一端部が連結された前記弾性体が設けられ、前記弾性体の前記可動係止部が設けられた側とは反対側に位置した部分は、前記導入部の先端部よりも突出して折り返し前記ノズル中栓の一部に取り付けられている計量容器である。
【００１１】
また、前記容器本体は上方が開口された内ケースと、前記内ケースを摺動可能に嵌合する外ケースから成り、前記外ケースには、前記内ケースの摺動方向に交差して開口され前記内ケースが突没する開口部が設けられ、前記内ケースには、前記外ケースから摺動させて露出し摺動方向に交差して開口する内ケース開口部と、前記内ケース開口部の摺動方向の前記外ケース側の端部に形成された前記固定係止部と、前記内ケース開口部の他方の端部に形成され前記内ケースの摺動方向に弾性変形する前記弾性体と、前記弾性体に設けられ前記内ケース開口部の端部から少し離れた位置に設けられ内ケース開口部に対して斜めに交差する側壁部である第一ガイドリブと、前記固定係止部に対向して前記第一ガイドリブに設けられた前記可動係止部と、前記内ケースに設けられ前記内ケースの中心付近に延出し前記内ケースの側面との間で前記第一ガイドリブへ向かう通路部を形成する第二ガイドリブが設けられ、前記外ケースから前記内ケースを突出させた状態で、突出した前記弾性体を前記内ケース内側に押し込むことにより前記弾性体が撓み、前記可動係止部と前記固定係止部の間隔が前記収容物の径よりも大きくなり、前記収容物が前記可動係止部と前記固定係止部の間を通過し、前記弾性体の撓みにより前記弾性体の端部が前記固定係止部に接近して前記収容物の径よりも間隔が狭くなり、前記収容物が前記弾性体の端部と前記固定係止部の間に保持され、再び前記弾性体の弾性変形が復元すると、前記可動係止部と前記固定係止部の間隔が前記収容物の径よりも小さくなるとともに、前記固定係止部と前記弾性体の端部との間隔が前記収容物の径よりも大きくなり前記収容物が取り出し可能となる計量容器である。
【００１２】
さらに、前記弾性片の前記第一ガイドリブよりも前記内ケース開口部側に設けられ前記収容物を保持する保持板と、前記保持板に当接した前記収容物を支持する整列突起が前記内ケース開口部に設けられたものである。
【００１３】
また、前記容器開口部には蓋本体が設けられ、前記蓋本体には、容器開口部に嵌合される筒状の取付部と、前記取付部を閉鎖する片持ちの板状の前記弾性体と、前記弾性体の先端部と前記取付部との間に形成された前記取出口と、前記弾性体の前記取出口側の先端部に形成され前記容器本体内側に突出するガイド突起と、前記弾性体の先端部に形成され前記容器本体外側に突出する前記押込部と、前記弾性体の先端部に形成され前記取出口へ突出する前記可動係止部と、前記取付部の前記取出口に位置した固定係止部が設けられ、前記押込部を前記対向物に押し当てると、前記弾性体が撓み前記可動係止部が前記固定係止部から離れ、前記可動係止部と前記固定係止部の間隔が前記収容物の径よりも大きくなり、前記収容物が前記可動係止部と前記固定係止部の間を通過し、前記弾性体の撓みにより押込部が前記固定係止部に接近して前記収容物の径よりも間隔が狭くなり、前記収容物が前記押込部と前記固定係止部の間に保持され、再び前記弾性体の弾性変形が復元すると、前記可動係止部と前記固定係止部の間隔が前記収容物の径よりも小さくなるとともに、前記固定係止部と前記押込部との間隔が前記収容物の径よりも大きくなり前記収容物が取り出し可能となる計量容器である。前記蓋本体は、ヒンジ部を介して前記取付部等に連結されたものや、キャップが設けられたものでも良い。
【発明の効果】
【００１４】
本発明の計量容器は、収容している錠剤等の収容物を簡単な操作で所定の数ずつ、所望の場所に取り出すことができる。その操作は、計量容器の取出口を対向物に対向させて押し付けるだけで、対向物表面に所定の数ずつ取り出されるので、扱いやすいものである。特に、対向物が手のひらである場合、錠剤が手の中に取り出されるため、落下や紛失を防ぎ安全である。高齢者や障害者にも、簡単で確実に必要な数量や処方された数の錠剤等を正確に取り出して服用することができる。
【発明を実施するための最良の形態】
【００１５】
以下、この発明の実施形態について図面に基づいて説明する。図１〜図３はこの発明の第一実施形態を示すもので、この実施形態の計量容器である錠剤計量容器５６は、錠剤５０が互いに重ならないように薄形に設けられ、合成樹脂製の外ケース５８と、外ケース５８に摺動可能に嵌合される内ケース６０が設けられている。
【００１６】
外ケース５８は、図３に示すように、一方向に長い矩形の上面６２が設けられ、上面６２の長い一対の辺には、側面６４，６６が上面６２に対してほぼ直角に連続し、短い辺の一方には、側面６８がほぼ直角に連続して設けられている。側面６８の反対側の辺は側面が設けられず、組み立ての際に内ケース６０が入れられる挿通孔７０となる。側面６８の、上面６２と反対側には、上面６２に対してほぼ平行な底面７２が設けられている。底面７２は、上面６２よりも小さく、上面６２の長手方向の、側面６８に近い約７分の１程度の幅で部分的に設けられている。側面６８には、側面６６に近い約半分の大きさに容器開口部７４が形成されている。側面６４，６６の、上面６２と反対側の端部には、互いに対向する内側面に内ケース６０を摺動可能に保持する段部７５が、端部に沿って設けられている。
【００１７】
外ケース５８の、上面６２の内側面には、第一導入部突起７６が設けられている。第一導入部突起７６の位置は、上面６２の長手方向の中心よりも僅かに側面６８寄りで、幅方向の中心と側面６６との間である。第一導入部突起７６は、上面６２からほぼ直角に外ケース５８の内側へ向かって突出する一定厚みの板状であり、上面６２からの突出量は、側面６４，６６よりも僅かに短く底面７２に達しない長さである。第一導入部突起７６の、上面６２に対して平行方向の断面形状は、側面６６に開口するへの字形であり、側面６６に近い容器開口部７４側の端部から上面６２の中央に向かう斜めの直線である通路部７６ａと、通路部７６ａから側面６６に向かって折り返されて上面６２の中央に向かって膨出する曲線であるガイド部７６ｂが設けられ、側面６６近傍に達している。第一導入部突起７６は、内ケース６０を外ケース５８に組み立てるときに後述する固定係止部９２が通過可能なように側面６６から所定間隔だけ離間されている。
【００１８】
外ケース５８の、側面６４，６６の内側面には、挿通孔７０寄りで互いに対向する位置に、係止突起７８が各々設けられている。係止突起７８は、上面６２に対してほぼ直角に長く形成されている。
【００１９】
内ケース６０は、外ケース５８の内側を長手方向に沿って摺動可能に嵌合されるものである。内ケース６０には、一方向に長い矩形の底面８０が設けられ、底面８０の長手方向は上面６２の約７分の６程度の大きさであり、外ケース５８の底面７２と組み合わされて上面６２と同じ大きさとなり、底面８０の幅は内ケース６０の上面６２とほぼ同じである。底面８０の長い一対の辺には、側面６４，６６に重ねられる側面８２，８４が、底面８０に対してほぼ直角に連続して設けられている。
【００２０】
底面８０の、短い辺の一方には、弾性片状の弾性体８６が設けられている。弾性体８６は、側面８２に連続し、側面８２に対してほぼ直角に折り曲げられて、底面８０の長手方向に交差する長さのほぼ半分の位置まで延出している。弾性体８６は、底面８０から離間されて自由に弾性変形する。底面８０の短い辺の他方には側面８８が設けられている。底面８０の、各側面を挟んだ反対側は、開口されている。
【００２１】
側面８４の錠剤５０の取出口となる内ケース開口部９０側の端部には、内ケース開口部９０の内側に向かって折り曲げられる固定係止部９２が設けられている。内ケース開口部９０の、側面８２側の側縁部に位置する弾性体８６の端部には、押込部９４が設けられている。押込部９４は、弾性体８６をほぼ直角に外側へ折り曲げて突出させたような矩形の板体であり、押込部９４の板体の角部は曲面で面取りされている。弾性体８６の、押込部９４と反対側は内ケース６０の内側面に延出して可動係止部９６が設けられている。可動係止部９６の先端は、内ケース開口部９０側へＬ字に折り曲げられている。底面８０は、可動係止部９６に対向するＬ字状に透孔が設けられ、可動係止部９６が弾性体８６の弾性変形に伴って自由に移動する。
【００２２】
内ケース６０の、底面８０の内側面には、第二導入部突起９８が設けられている。第二導入部突起９８の位置は、底面８０の長手方向の中心よりも僅かに弾性体８６寄りで、幅方向の中心と側面８２との間である。第二導入部突起９８は、底面８０からほぼ直角に突出する一定厚みの板状であり、底面８０からの突出量は、側面８２とほぼ同じ長さである。第二導入部突起９８の、底面８０に対して平行方向の断面形状は、側面８２と弾性体８６の間の角部に対して面取りする方向に沿って設けられ、この角部に向かって僅かに膨出する曲線である通路部９８ａと、通路部９８ａの弾性体８６に近い端部から弾性体８６に向かって折り曲げられた小突起９８ｂと、通路部９８ａの反対の端部から側面８２に向かって延出し連結される連結部９８ｃが設けられている。
【００２３】
内ケース６０の、側面８２，８４の外側面には、複数個所の互いに対向する位置に、係止凹部１００が設けられている。係止凹部１００は、内ケース６０の弾性体８６が、外ケース５８の側面６８に当接するときに側面６８の係止突起７８に対向する位置と、内ケース６０の側面８８が外ケース５８の挿通孔７０に一致するときに係止突起７８に対向する位置に設けられている。側面８４の内側面には、内ケース６０の側面８８が外ケース５８の挿通孔７０に当接するときに第一導入部突起７６のガイド部７６ｂに連通する閉鎖用突起１０２が設けられている。
【００２４】
次に、この実施形態の錠剤計量容器５６の使用方法について説明する。内ケース６０の側面８２，８４，８８と、第二導入部突起９８で囲まれた空間が収容部１０４であり、ここに錠剤５０等を入れ、外ケース５８の挿通孔７０から内ケース６０を差し込みながら入れる。このとき、外ケース５８は第一導入部突起７６と側面６６が離間されているため、内ケース６０の固定係止部９２が通過可能である。内ケース６０は、側面８８が外ケース５８の挿通孔７０に一致するときに、外ケース５８の係止突起７８が係止凹部１００に差し込まれ、軽く係止される。このとき、図３（ａ）に示すように、内ケース６０の押込部９４は、外ケース５８の中に収容されている。内ケース６０の第二導入部突起９８は、外ケース５８の第一導入部突起７６に接触し、収容部１０４を内ケース開口部９０から区切り、錠剤５０をほこりや湿気から保護している。このとき、閉鎖用突起１０２は、外ケース５８の第一導入部突起７６に接触し、第一導入部突起７６と側面８４の隙間を閉鎖する。
【００２５】
収容部１０４から錠剤５０を取り出して服用するときは、図３（ｂ）に示すように、内ケース６０を外ケース５８に対して摺動させ、内ケース６０の弾性体８６を外ケース５８の側面６８に当接させ、容器開口部７４と内ケース開口部９０を一致させる。内ケース６０の押込部９４は、外ケース５８の容器開口部７４から外側に突出している。このとき、内ケース６０の側面８２，８４に設けられた側面８８側の係止凹部１００に、外ケース５８の係止突起７８が嵌合され、適度な力で係止される。
【００２６】
この状態で、錠剤計量容器５６の内側は、図１（ａ）に示すように、内ケース６０の第二導入部突起９８が、外ケース５８の第一導入部突起７６から離れ、第二導入部突起９８の通路部９８ａと第一導入部突起７６の通路部７６ａが互いに平行に位置して一対の側壁部となり、その間に通路１０６が形成される。通路１０６は収容部１０４の端部から外ケース５８の容器開口部７４へ連続し、通路１０６の幅は、錠剤５０の外径よりも僅かに広く、錠剤５０が一列に並べられて通過可能である。第一導入部突起７６のガイド部７６ｂは、収容部１０４側へ膨出する彎曲で形成されているため、収容部１０４の錠剤５０は円滑に通路１０６へ入る。
【００２７】
次に、図１（ａ）に示すように錠剤計量容器５６を倒立させると、収容部１０４内の錠剤５０がガイド部７６ｂにガイドされて通路１０６に移動する。しかし、内ケース６０の内ケース開口部９０に可動係止部９６が位置し、可動係止部９６と固定係止部９２の距離は、錠剤５０の外径よりも小さく、錠剤５０が内ケース開口部９０を通過しない閉鎖状態であり、錠剤５０は容器開口部７４から外へ出ることがない。次に、対向物５２に押込部９４を押し当てると、図１（ｂ）に示すように弾性体８６が内側へ撓み、押込部９４と可動係止部９６が容器開口部７４の内側へ移動する。これにより可動係止部９６と固定係止部９２の距離は、錠剤５０の外径よりも大きくなり、錠剤５０が通過可能な開放状態となり、容器開口部７４から錠剤５０が１錠、対向物５２と押込部９４、外ケース５８で囲まれた収容空間５４に出る。再び、錠剤計量容器５６を対向物５２から離すと、図１（ｃ）に示すように弾性体８６が復元して容器開口部７４が閉鎖状態となり、通路１０６に並べられた次の錠剤５０が外に出ることがない。対向物５２の上に錠剤５０が１個取り出される。
【００２８】
使用しないときは、図２に示すように、内ケース６０を外ケース５８の内側へ摺動させて、押込部９４を収納し、押込部９４が不用意に押されて錠剤５０が出ることを防ぐ。このとき収容部１０４は、第二導入部突起９８、第一導入部突起７６、閉鎖用突起１０２が連続することにより閉鎖され、容器開口部７４，内ケース開口部９０から区切られる。
【００２９】
この実施形態の錠剤計量容器５６は、簡単な構造と簡単な操作で、確実に錠剤５０を１個ずつ、所定の場所に取り出すことができる。錠剤計量容器５６の外ケース５８は薄い箱体であるため、携帯に便利である。押込部９４は外ケース５８内に収容されているため、携帯している途中で不用意に開放状態にならず、安全である。不使用時には、収容部１０４は第二導入部突起９８、第一導入部突起７６、閉鎖用突起１０２が連続して閉鎖されるため、ホコリや湿気の侵入を防ぎ、錠剤５０が汚れたり変質することを防ぐ。
【００３０】
次にこの発明の第二実施形態について、図４、図５を基にして説明する。この実施形態の錠剤計量容器１５０は、有底の容器本体１２を備え、ガラスやプラスチックで作られている。容器本体１２の上端部には、径が小さい円筒状の容器開口部１４が一体に形成されている。容器開口部１４の外周面には、キャップ等を螺合する雄ネジ１６が形成されている。
【００３１】
容器開口部１４には、合成樹脂で作られたノズル中栓１５２が嵌合されて取り付けられている。ノズル中栓１５２には、容器開口部１４の先端面１４ａに当接するフランジ部１５４が設けられ、フランジ部１５４の内周面には容器開口部１４の内側に嵌合される円筒状の取付部１５６が設けられている。取付部１５６のフランジ部１５４と反対の先端部分には、フランジ部１５４よりも外側に突出する導入部１５８が連続して設けられている。導入部１５８は、取付部１５６と連続する基端部１５８ａの径よりも、基端部１５８ａと反対側の先端部１５８ｂの径が小さい円錐状の筒体である。先端部１５８ｂは、フランジ部１５４よりも容器開口部１４の外側に突出している。先端部１５８ｂは、円形の取出口１６０が開口されている。
【００３２】
導入部１５８の内周面には、取出口１６０を細くする固定係止部１６２が設けられている。固定係止部１６２は、取出口１６０の接線方向に面する板状部１６２ａと、板状部１６２ａの基端部１５８ａ側の端部に連続し導入部１５８の内周面に向かって折り曲げられた傾斜部１６２ｂが設けられている。固定係止部１６２の導入部１５８先端部１５８ｂ側の端部は、先端部１５８ｂより少し内側に引き込んで位置している。導入部１５８には、固定係止部１６２と反対側の容器本体１２側に、溝状の切欠部１６４が設けられている。切欠部１６４は、基端部１５８ａから先端部１５８ｂに連続して錠剤の厚みよりも小さい一定幅で形成されている。
【００３３】
導入部１５８の切欠部１６４の内側には、取出口１６０から突出した押込部を兼ねる弾性体１６６が設けられている。弾性体１６６は切欠部１６４の内側に沿って僅かなゆとりを有して形成される細長い板状であり、弾性体１６６の一方の端部は固定係止部１６２の傾斜部１６２ｂ付近に対向する位置に達し、後述する可動係止部１６８が一体に設けられている。弾性体１６６の、可動係止部１６８と反対側の端部は、切欠部１６４の内側に沿って導入部１５８の先端部１５８ｂに達し、導入部１５８ｂから少し突出して導入部１５８から離れ、外側に彎曲しながら折り返されてフランジ部１５４に連続している。
【００３４】
弾性体１６６に設けられた可動係止部１６８は、導入部１５８の挿通方向に平行で固定係止部１６２の板状部１６２ａに対して平行な板状である。可動係止部１６８の導入部１５８基端部１５８ａ側の側縁部には、突起１７０が直角に導入部１５８内側へ突出して設けられている。可動係止部１６８の導入部１５８先端部１５８ｂ側の側縁部に、弾性体１６６が連結されている。可動係止部１６８の、固定係止部１６２と反対側の裏面には、可動係止部１６８と弾性体１６６に対してほぼ直角に封止板１７２が設けられている。
【００３５】
切欠部１６４の、可動係止部１６８付近には、切欠部１６４の幅が細くなる段部１６５が設けられている。可動係止部１６８が、弾性体１６６の弾性変形により切欠部１６４内側へ移動したとき、可動係止部１６８裏面が段部１６５に当接し、弾性体１６６がそれ以上弾性変形しないように抑えられる。
【００３６】
次に、この実施形態の錠剤計量容器１５０の使用方法について説明する。容器本体１２に扁平な錠剤１７４等を入れ、容器本体１２の容器開口部１４に、ノズル中栓１５２を取り付ける。この状態では、可動係止部１６８は切欠部１６４よりも導入部１５８中心側に位置し、固定係止部１６２に対向し、可動係止部１６８と固定係止部１６２との距離は錠剤１７４の厚みよりも小さく、錠剤１７４が通過しない閉鎖状態である。
【００３７】
容器本体１２から錠剤１７４を取り出して服用するときは、図４（ａ）に示すように、閉鎖状態のまま、錠剤計量容器１５０を倒立させる。これにより、容器本体１２内の錠剤１７４が導入部１５８内に移動する。錠剤１７４は扁平な円形であるため、固定係止部１６２板状部１６２ａに対して平行に一定の向きに整列する。次に、対向物１７６に弾性体１６６の導入部１５８から突出した部分を押し当てると、図４（ｂ）に示すように弾性体１６６が弾性変形して可動係止部１６８が導入部１５８の基端部１５８ａ側へ移動する。これにより可動係止部１６８と固定係止部１６２との距離は錠剤１７４の厚みより大きくなり、錠剤１７４が通過可能な開放状態となり、取出口１６０から錠剤１７４が１個、対向物１７６と取出口１６０で囲まれた収容空間１７８に出る。収容空間１７８は、錠剤１７４が１個しか入らない大きさであり、次の錠剤１７４は収容空間１７８に入ることがなく、導入部１５８の内側に止められている。再び、錠剤計量容器１５０を対向物１７６から離すと、図４（ｃ）に示すように弾性体１６６が復元して閉鎖状態となり、導入部１５８に並べられた次の錠剤１７４は外に出ることがない。対向物１７６の上に、錠剤１７４が１個取り出される。
【００３８】
この実施形態の錠剤計量容器１５０によれば、簡単な構造と簡単な操作で、確実に扁平な錠剤１７４を１個ずつ、所定の場所に取り出すことができる。ノズル中栓１５２は、一体成形で作ることができ、組立工程が簡単で生産効率が向上する。ノズル中栓１５２の導入部１５８は、固定係止部１６２により内側の断面形状が扁平に形成されているため、扁平な錠剤１７４の向きを一定にし、確実に固定係止部１６２と可動係止部１６８に保持することができる。導入部１５８は取出口１６０に近づくにつれて細くなるロート状であり、錠剤１７４を一列に並べて正確に１個ずつ取り出すことができる。
【００３９】
次にこの発明の第三実施形態について、６、図７を基にして説明する。この実施形態の錠剤計量容器１７９は、有底の容器本体１２を備え、ガラスやプラスチックで作られている。容器本体１２の上端部には、径が小さい円筒状の容器開口部１４が一体に形成されている。容器開口部１４の外周面には、キャップ等を螺合する雄ネジ１６が形成されている。
【００４０】
容器開口部１４には、合成樹脂で作られたノズル中栓１８０が嵌合されて取り付けられている。ノズル中栓１８０には、容器開口部１４の先端面１４ａに当接するフランジ部１８２が設けられ、フランジ部１８２の内周面には容器開口部１４の内側に嵌合される取付部１８４が設けられている。取付部１８４のフランジ部１８２と反対の先端部分には、フランジ部１８２とほぼ同じ高さの導入部１８６が連続して設けられている。導入部１８６は、取付部１８４と連続する基端部１８６ａの径よりも、基端部１８６ａと反対側の先端部１８６ｂの径が小さい楕円形の円錐状の筒体である。先端部１８６ｂは、楕円形の取出口１８８が開口されている。
【００４１】
導入部１８６の内周面には、取出口１８８の少し内側で取出口１８８の長径方向の空間を少し狭くする固定係止部１９０が設けられている。固定係止部１９０は取出口１８８の挿通方向に交差する板状であり、固定係止部１９０の側縁部は取出口１８８の接線方向に沿う直線である。
【００４２】
導入部１８６には、固定係止部１９０と反対側に、溝状の切欠部１９２が設けられている。切欠部１９２は、基端部１８６ａから先端部１８６ｂに連続して錠剤の厚みよりも小さい一定幅で形成されている。
【００４３】
切欠部１９２の内側には、取出口１８８から突出した押込部を兼ねる弾性体１９４が設けられている。弾性体１９４は切欠部１９２の内側に沿って僅かなゆとりを有して形成される細長い板状であり、弾性体１９４の一方の端部は固定係止部１９０よりわずかに基端部１８６ａに近い位置に達し、後述する可動係止部１９６が一体に設けられている。弾性体１９４の、可動係止部１９６と反対側の端部は、切欠部１９２の内側に沿って導入部１８６の先端部１８６ｂに達し、導入部１８６から少し突出して導入部１８６から離れ、外側に彎曲しながら折り返されてフランジ部１８２に連続している。弾性体１９４の、取出口１８８から突出している面に、滑り止めの凹凸を設けてもよい。
【００４４】
可動係止部１９６は、弾性体１９４に対してほぼ直角に導入部１８６内側へ突出して設けられている。切欠部１９２の、可動係止部１９６付近には切欠部１９２の幅が細くなる段部１９７が設けられている。段部１９７が、弾性体１９４の弾性変形により切欠部１９２内側へ移動したとき、可動係止部１９６の側縁部が段部１９７に当接し、弾性体１９４がそれ以上弾性変形しないように抑えられる。
【００４５】
次に、この実施形態の錠剤計量容器１７９の使用方法について説明する。容器本体１２に扁平な錠剤１７４等を入れ、容器本体１２の容器開口部１４に、ノズル中栓１８０を取り付ける。この状態では、可動係止部１９６は、固定係止部１９０に対向し、可動係止部１９６と固定係止部１９０との距離は錠剤１７４の直径よりも小さく、錠剤１７４が通過しない閉鎖状態となる。
【００４６】
容器本体１２から錠剤１７４を取り出して服用するときは、図６(ａ)に示すように、閉鎖状態のまま、錠剤計量容器１７９を倒立させる。これにより、容器本体１２内の錠剤１７４が導入部１８６内に移動する。錠剤１７４は扁平な円形であるため、導入部１８６の断面形状に沿って、一定の向きに整列する。次に、対向物１７６に弾性体１９４の導入部１８６から突出した部分を押し当てると、図６（ｂ）に示すように、弾性体１９４が弾性変形して可動係止部１９６が導入部１８６の基端部１８６ａ側へ移動する。これにより可動係止部１９６と固定係止部１９０との距離は錠剤１７４の直径より大きくなり、錠剤１７４が通過可能な開放状態となり、取出口１８８から錠剤１７４が１個、対向物１７６と取出口１８８で囲まれた収容空間１９８に出る。収容空間１９８は、錠剤１７４が１個しか入らない大きさであり、次の錠剤１７４は収容空間１９８に入ることがなく、導入部１８６の内側に止められている。再び、錠剤計量容器１７９を対向物１７６から離すと、図６（ｃ）に示すように弾性体１９４が復元して閉鎖状態となり、導入部１８６に並べられた次の錠剤１７４は外に出ることがない。対向物１７６の上に、錠剤１７４が１個取り出される。
【００４７】
この実施形態の錠剤計量容器１７９によれば、簡単な構造と簡単な操作で、確実に扁平な錠剤１７４を１個ずつ、所定の場所に取り出すことができる。ノズル中栓１８０は、一体成形で作ることができ、組立工程が簡単で生産効率が良好である。また、容器開口部１４からの突起物が小さいためコンパクトである。導入部１８６の内側の断面形状は楕円に成形されているため、扁平な錠剤１７４の向きを一定にし、確実に固定係止部１９０と可動係止部１９６に保持することができる。導入部１８６は取出口１８８に近づくにつれて細くなるロート状であり、錠剤１７４を一列に並べて正確に１個ずつ取り出すことができる。
【００４８】
次にこの発明の第四実施形態について、図８、図９を基にして説明する。この実施形態の錠剤計量容器２００は、錠剤１７４が互いに重ならないように薄形に設けられ、合成樹脂製の外ケース２０２と、外ケース２０２に摺動可能に嵌合される内ケース２０４が設けられている。
【００４９】
外ケース２０２は、一方向に長い矩形の図示しない上面が設けられ、上面の長い一対の辺には、側面２０６，２０８が上面に対してほぼ直角に連続して設けられている。上面の、側面２０６，２０８を挟んだ反対側には、底面が設けられている。底面は、上面の約７分の１程度の大きさで設けられ、上面の長手方向の短い辺の一方に近い部分に設けられている。上面の長手方向の短い辺の一方には、上面と底面と、側面２０６，２０８で囲まれて開口部２１０が設けられている。短い辺の反対側は、組み立ての際に内ケース２０４が入れられる挿通孔２１２となる。側面２０６，２０８の、上面と反対側の端部には、互いに対向する内側面に内ケース２０４を摺動可能に保持する段部２１４が、端部に沿って設けられている。外ケース２０２の、側面２０６，２０８の内側面には、挿通孔２１２寄りで互いに対向する位置に、係止突起２１５が各々設けられている。係止突起２１５は、上面に対してほぼ直角に長く形成されている。
【００５０】
内ケース２０４は、外ケース２０２の内側を長手方向に沿って摺動可能に嵌合されるものである。内ケース２０４には、一方向に長い矩形の底面２１６が設けられ、底面２１６は外ケース２０２の上面とほぼ同じ大きさである。底面２１６の長い一対の辺には、側面２０６，２０８に重ねられる側面２１８，２２０が、底面２１６に対してほぼ直角に連続して設けられている。底面２１６の、短い辺の一方には、側面２２１が設けられている。
【００５１】
内ケース２０４の底面２１６の、側面２２１と反対側には、取出口である内ケース開口部２３９から突出した押込部を兼ねる弾性片状の弾性体２２２が設けられている。弾性体２２２は、側面２１８に連続し、側面２１８に対してほぼ直角に折り曲げられて、底面２１６の長手方向にほぼ直角に交差して側面２２０の延長線上付近に達している。なお、側面２２０と弾性体２２２の間には、後述する内ケース開口部２３９が設けられている。弾性体２２２は、底面２１６から離間されて自由に弾性変形する。弾性体２２２の、側面２１８から遠い約半分には、底面２１６と面一に位置する矩形の保持板２２４が、底面２１６側へ突出して一体に形成されている。なお、底面２１６には保持板２２４が所定間隔開けて嵌合される切欠部２２６が形成されている。保持板２２４は、弾性体２２２の弾性変形に伴って切欠部２２６の内側を移動する。
【００５２】
弾性体２２２の、内ケース２０４内側の面には、保持板２２４の内側面に沿って、第一ガイドリブ２２８が設けられている。第一ガイドリブ２２８は、保持板２２４からほぼ直角に突出する一定厚みの板状の側壁部であり、弾性体２２２の、側面２１８と反対側の端部２２２ａから少し離れた位置から底面２１６の中央に向かって、弾性体２２２に対して斜めに延出して形成されている。第一ガイドリブ２２８は、保持板２２４より長く形成され、第一ガイドリブ２２８の先端部は保持板２２４から出て切欠部２２６に突出し、固定係止部２３８に対向する位置に達している。第一ガイドリブ２２８の先端部には、固定係止部２３８に向かって突出する可動係止部２３０が設けられている。弾性体２２２の、保持板２２４と反対側の側縁部には、保持板２２４より小さくて保持板２２４に平行な整列突起２３２が設けられている。弾性体２２２、第一ガイドリブ２２８、保持板２２４、整列突起２３２で囲まれた空間を収容空間２３３とする。
【００５３】
内ケース２０４の、底面２１６の内側面には、仕切部２３４が設けられている。仕切部２３４は、底面２１６からほぼ直角に突出する一定厚みの板状の側壁部であり、内ケース２０４の側面２１８の、中心よりも僅かに弾性体２２２寄りの位置から、可動係止部２３０に向かい、可動係止部２３０近傍で反対側の側面２２０に平行に可動係止部２３０から離れる方向へ折り曲げられて形成されている。仕切部２３４は側面２２０の中心付近に達している。仕切部２３４の角部には、収容する錠剤１７４を、円滑にガイドする小突起２３４ａが設けられている。小突起２３４ａから側面２２０と平行に、錠剤１７４の幅よりも広い間隔を空けて第二ガイドリブ２３７が、底面２１６から突出して設けられている。側面２２０と第二ガイドリブ２３７の間は、錠剤１７４を整列させる通路部２４４となる。通路部２４４は内ケース２０４の中心付近から内ケース開口部２３９へ連続し、通路部２４４の幅は、錠剤１７４の外径よりも僅かに広く、錠剤１７４が一列に並べられて通過可能である。
【００５４】
側面２１８と、弾性体２２２、第一ガイドリブ２２８、仕切部２３４で囲まれた空間は、乾燥剤２３５を入れる空間であり、乾燥剤２３５を支持する乾燥剤用突起２３６が設けられている。
【００５５】
内ケース２０４の側面２２０は、底面２１６の切欠部２２６に端部２２２ａが位置し、側面２２０の端部には、切欠部２２６に向かって折り曲げられる固定係止部２３８が設けられている。さらに、側面２２０と弾性体２２２との間には、内ケース開口部２３９が設けられている。
【００５６】
内ケース２０４の、側面２１８，２２０の外側面には、複数個所の互いに対向する位置に、係止凹部２４０が設けられている。係止凹部２４０は、内ケース２０４の弾性体２２２が外ケース２０２の開口部２１０に一致するときに側面２０６，２０８の係止突起２１５に対向する位置と、内ケース２０４の固定係止部２３８が開口部２１０に一致する位置の２箇所で、側面２０６，２０８の係止突起が対向する部分に設けられている。
【００５７】
次に、この実施形態の錠剤計量容器２００の使用方法について説明する。内ケース２０４の側面２１８，２２０，２２１と、仕切部２３４、第二ガイドリブ２３７、で囲まれた空間が収容部２４２であり、ここに錠剤１７４等を入れ、外ケース２０２の挿通孔２１２から内ケース２０４を差し込みながら入れる。内ケース２０４は、弾性体２２２が外ケース２０２の開口部２１０に一致する際に、外ケース２０２の係止突起２１５が固定係止部２３８に差し込まれ、適度な力で係止される。このとき、図９に示すように、内ケース２０４の内ケース開口部２３９は外ケース２０２の側面２２０で閉鎖され、切欠部２２６は底面で閉鎖され、外気と遮断して錠剤１７４をほこりや湿気から保護している。
【００５８】
錠剤計量容器２００から錠剤１７４を取り出して服用するときは、図８（ａ）に示すように、内ケース２０４を外ケース２０２に対して摺動させ、内ケース２０４の弾性体２２２を外ケース２０２の開口部２１０から外側へ移動させ、内ケース２０４の内ケース開口部２３９を外ケース２０２の側面２２０から露出させる。このとき、外ケース２０２の係止突起２１５が側面２１８，２２０の係止凹部２４０に差し込まれ、適度な力で係止される。
【００５９】
次に錠剤計量容器２００を通路部２４４が下にくるように倒立させる。すると、収容部２４２内の錠剤１７４が通路部２４４に移動する。しかし、内ケース２０４の内ケース開口部２３９には、固定係止部２３８に対向して可動係止部２３０が位置し、固定係止部２３８と可動係止部２３０の距離は、錠剤１７４の外径よりも小さく、錠剤１７４が内ケース開口部２３９を通過しない閉鎖状態であり、外へ出ることがない。次に、対向物１７６に弾性体２２２の内ケース開口部２３９側の端部２２２ａを押し当てると、図８（ｂ）に示すように弾性体２２２が内側へ撓み、第一ガイドリブ２２８が通路部２４４の外側へ移動する。これにより可動係止部２３０と固定係止部２３８の距離は、錠剤１７４の外径よりも大きくなり、錠剤１７４が通過可能な開放状態となる。通路部２４４から錠剤１７４が１個、弾性体２２２の内側の収容空間２３３に取り出されるが、弾性体２２２が内側へ撓んだ状態では、固定係止部２３８と、弾性体２２２の端部２２２ａの距離は、錠剤１７４の外径よりも小さく、外へ出ることがなく、収容空間２３３内に保持される。そして、再び、錠剤計量容器２００を対向物１７６から離すと、図８（ｃ）に示すように弾性体２２２が復元し、固定係止部２３８と可動係止部２３０の距離が小さくなり、通路部２４４に並べられた次の錠剤１７４が外に出ることがない。しかし、弾性体２２２が復元することにより弾性体２２２の端部２２２ａと固定係止部２３８の距離が錠剤１７４の外径より大きくなり、収容空間２３３に保持されていた錠剤１７４の１個が、対向物１７６の上に取り出される。そして、弾性体２２２が復元することにより可動係止部２３０と固定係止部２３８が閉鎖状態となり、通路部２４４に並べられた次の錠剤１７４は外に出ることがない。
【００６０】
使用しないときは、内ケース２０４を外ケース２０２の内側へ摺動させて収容する。再び内ケース２０４の切欠部２２６は外ケース２０２の底面で閉鎖され、内ケース開口部２３９は側面２０８で閉鎖され、外気と遮断される。
【００６１】
この実施形態の錠剤計量容器２００は、簡単な構造と簡単な操作で、確実に錠剤１７４を1個ずつ、所定の場所に取り出すことができる。弾性体２２２は、切欠部２２６があるため底面２１６から独立して自由に弾性変形可能であり、弾性体２２２が内側に撓むときは弾性体２２２の保持板２２４が切欠部２２６の端縁部に当接し、必要以上に撓むことがなく安全である。輸送や保存等の場合は、内ケース２０４を外ケース２０２の内側に収容するため、錠剤１７４を湿気やほこりの侵入から防ぐことができる。可動係止部２３０付近から、錠剤１７４の直径よりも少し広い幅で側面２２０に沿って第二ガイドリブ２３７を延出することにより、錠剤１７４が詰まることなく必要量の錠剤１７４を通路部２４４に案内することができる。
【００６２】
また、収容空間２３３に錠剤１７４が移動したとき、弾性体２２２は固定係止部２３８側に弾性変形して錠剤１７４が保持されるため、弾性体２２２の押圧を解除して弾性変形を復元させるまで錠剤１７４は内ケース開口部２３９から出ることがない。このため錠剤１７４は一旦保持され、不用意に落下することを防ぐことができる。対向物１７６が無くても、指で弾性体２２２を弾性変形させて錠剤１７４を１個取り出すことができる。錠剤１７４が収容空間２３３に移動したあと、収容空間２３３で錠剤１７４が内ケース開口部２３９と反対側、つまり弾性体２２２側へ寄ると次の錠剤１７４で遮られて内ケース開口部２３９に移動できなくなるが、第一ガイドリブ２２８により錠剤１７４が内ケース開口部２３９向かうように案内し、円滑に取り出すことができる。収容空間２３３に移動した錠剤１７４は、弾性体２２２に沿って倒れると次の錠剤１７４まで収容空間２３３に入り込んでしまうが、整列突起２３２によって倒れないように保持され、円滑に１個ずつ取り出すことができる。
【００６３】
次にこの発明の第五実施形態について、図１０、図１１を基にして説明する。この実施形態の錠剤計量容器２４６は、有底筒状の容器本体２４８が設けられ、容器本体２４８は合成樹脂製であり錠剤１７４が互いに重ならないように薄形の四角筒状に形成されている。
【００６４】
容器本体２４８の容器開口部２５０には、合成樹脂で作られた蓋本体２５２が嵌合されて取り付けられている。蓋本体２５２には、容器開口部２５０の内側に嵌合される四角筒状の取付部２５４が設けられている。取付部２５４の挿通方向の途中には、取付部２５４の外側面に、容器開口部２５０の端面に当接するフランジ部２５６が一周して設けられている。
【００６５】
フランジ部２５６に対向する位置の取付部２５４の内周面には、容器本体２４８の小さい側面の一方に隣接する位置に、弾性体２５８が設けられている。弾性体２５８は、容器本体２４８を略水平に横断する片持ちの板状に形成され、弾性体２５８の先端部は、容器開口部２５０の中間付近に達している。弾性体２５８の先端と容器開口部２５０の他方の端部までの空間は取出口２５９となる。
【００６６】
弾性体２５８の先端部には、容器本体１２の内側に延出するガイド突起２６０が設けられている。ガイド突起２６０と容器本体２４８の側面との間に、通路２６１が設けられる。通路２６１は、容器本体２４８の内側から取出口２５９まで連続し、通路２６１の幅は、錠剤１７４の外経よりも僅かに広く、錠剤１７４が一列に並べられて通過可能である。弾性体２５８の先端部には、ガイド突起２６０と反対側に、容器本体１２の外側に延出する押込部２６２が設けられている。ガイド突起２６０と押込部２６２の境界部分、つまり弾性体２５８の先端部に一致する部分には、取出口２５９に向かって突出する可動係止部２６４が設けられている。
【００６７】
取出口２５９の、取付部２５４の内周面には、可動係止部２６４に向かって突出する固定係止部２６６が設けられている。可動係止部２６４の先端は、可動係止部２６４に向かう方向よりもやや外側に向いて傾斜している。取付部２５４の外周面には、後述するキャップ２７０を係止する段部２６８が一周して設けられている。また、取付部２５４の、押込部２６２と固定係止部２６６、可動係止部２６４で囲まれた空間を収容空間２６９とする。
【００６８】
取付部２５４の、フランジ部２５６の端部には、弾性体２５８近傍に、ヒンジ部２７２を介してキャップ２７０が設けられている。キャップ２７０は、取付部２５４の、フランジ部２５６よりも外側に突出した部分を覆う箱体に形成され、キャップ２７０の天面２７０ａと、ヒンジ部２７２が設けられている側面２７０ｂの角部は、面取りする方向に傾斜面２７４が設けられている。傾斜面２７４の、ヒンジ部２７２側の端部には、係止突起２７６が斜め下方に突出して設けられている。キャップ２７０の内周面には、取付部２５４の段部２６８に係止される溝部２８０が設けられている。キャップ２７０のヒンジ部２７２と反対側の側面には、キャップ２７０を開けるときに使用する持ち手２８２が一体に設けられている。キャップ２７０は、例えばヒンジ部２７２が設けられず、取付部２５４と別体の着脱式でもよい。
【００６９】
また、フランジ部２５６のヒンジ部２７２側には、容器本体２４８の下方に突出する被係止突起２７８が設けられている。
【００７０】
次に、この実施形態の錠剤計量容器２４６の使用方法について説明する。容器本体２４８に扁平な錠剤１７４等を入れ、容器本体２４８の容器開口部２５０に、蓋本体２５２を取り付ける。この状態では、可動係止部２６４は固定係止部２６６に対向し、可動係止部２６４と固定係止部２６６との距離は錠剤１７４の直径よりも小さく、錠剤１７４が通過しない閉鎖状態となる。
【００７１】
容器本体２４８から錠剤１７４を取り出して服用するときは、容器本体２４８からキャップ２７０を開け、傾斜面２７４を容器本体２４８の外側面に重ねて、係止突起２７６を容器本体２４８の被係止突起２７８に係止する。これにより、キャップ２７０が容器本体２４８に対して開いた状態で保持される。そして、図１０（ａ）に示すように、錠剤計量容器２４６を通路２６１が下にくるように倒立させる。すると、容器本体２４８内の錠剤１７４が通路２６１内に移動する。しかし、蓋本体２５２の取出口２５９には、固定係止部２６６に対向して可動係止部２６４が位置し、固定係止部２６６と可動係止部２６４の距離は、錠剤１７４の外径よりも小さく、錠剤１７４が取出口２５９を通過しない閉鎖状態であり、外へ出ることがない。次に、対向物１７６に押込部２６２を押し当てると、図１０（ｂ）に示すように弾性体２５８が内側へ撓み、可動係止部２６４は、固定係止部２６６から離れて容器本体２４８の内側へ移動する。これにより、可動係止部２６４と固定係止部２６６の距離は、錠剤１７４の外径よりも大きくなり、錠剤１７４が通過可能な開放状態となる。通路２６１から錠剤１７４が１個、収容空間２６９に取り出されるが、弾性体２５８が内側へ撓んだ状態では、押込部２６２が固定係止部２６６に近づき、押込部２６２と固定係止部２６６の距離は、錠剤１７４の外径よりも小さく、外へ出ることがなく、収容空間２６９内に保持される。再び、錠剤計量容器２４６を対向物１７６から離すと、図１０（ｃ）に示すように、弾性体２５８が復元し、押込部２６２と固定係止部２６６の距離が錠剤１７４の外径より大きくなり、押込部２６２と固定係止部２６６に保持されていた錠剤１７４の１個が、対向物１７６の上に取り出される。そして、弾性体２５８が復元することにより可動係止部２６４と固定係止部２６６が閉鎖状態となり、通路２６１に並べられた次の錠剤１７４は外に出ることがない。
【００７２】
使用しないときは、図１１に示すようにキャップ２７０を取付部２５４の外側に被せ、キャップ２７０の溝部２８０を取付部２５４の段部２６８に係止し、外気と遮断し密閉する。
【００７３】
この実施形態の錠剤計量容器２４６は、簡単な構造と簡単な操作で、確実に錠剤１７４を1個ずつ、所定の場所に取り出すことができる。錠剤１７４は収容空間２６９で一旦保持されるため、不用意に落下することを防ぐことができる。押込部２６２の押圧を解除して弾性体２５８の弾性変形を復元させるまで錠剤１７４は取出口２５９から出ることがないため、対向物１７６がなくても１個ずつ取り出すことができる。使用しないときは、キャップ２７０を取付部２５４に閉じて密閉することができ、湿気やほこりの侵入を防ぐことができる。錠剤１７４を取り出すときに、押込部２６２を押して弾性体２５８を弾性変形させると、弾性体２５８と一体のガイド突起２６０が揺動し、容器本体２４８内の錠剤１７４が動かされてひっかかりを防止し、錠剤１７４を円滑に通路２６１の中へ誘導することができる。
【００７４】
次にその他の実施形態について、図１２、図１３を基にして説明する。この実施形態の錠剤計量容器１０８は、合成樹脂製の外ケース１１０と、外ケース１１０に摺動可能に嵌合される内ケース１１２が設けられている。
【００７５】
外ケース１１０は、一方向に長い矩形の上面１１４が設けられ、上面１１４の長い一対の辺は側面１１６，１１８が上面１１４に対してほぼ直角に連続し、短い辺の一方には、側面１２０がほぼ直角に連続して設けられている。側面１１６，１１８，１２０の上面１１４からその反対側の端縁までの高さは、錠剤計量容器１０８に収容される球状の錠剤１４２の直径の２倍よりもやや短く設けられている。側面１２０の反対側の辺は、側面が設けられず、内ケース１１２の一部が突没する挿通孔１２２となる。側面１１６，１１８の、上面１１４と反対側の端部には、互いに対向する内側面に内ケース１１２を摺動可能に保持する段部１２４が、端部に沿って設けられている。
【００７６】
外ケース１１０の、側面１１６，１１８の内側面には、互いに対向する位置に、係止突起１２６が各々設けられている。係止突起１２６は、上面１１４に対してほぼ直角に長く形成されている。外ケース１１０の上面１１４の、挿通孔１２２の周縁部の少し内側には、板体１２７が設けられている。板体１２７は、上面１１４に対してほぼ直角に外ケース１１０の内側へ突出し、挿通孔１２２の周縁部のほぼ全長にわたって設けられ、突出量は錠剤１４２の直径よりも少し小さく設定されている。
【００７７】
内ケース１１２は、外ケース１１０の内側を長手方向に沿って摺動可能に嵌合されるものである。内ケース１１２には、一方向に長い矩形の底面１２８が設けられ、底面１２８の長手方向は上面１１４とほぼ同じ大きさである。底面１２８の長い一対の辺には、側面１１６，１１８に重ねられる側面１３０，１３２が底面１２８に対してほぼ直角に連続して設けられ、短い一対の辺には、側面１２０に重ねられる側面１３４と、挿通孔１２２に露出する側面１３６が、底面１２８に対してほぼ直角に連続している。
【００７８】
内ケース１１２の、底面１２８の内側面には、側面１３６に連続する整列部１３８が設けられている。整列部１３８は、底面１２８からほぼ直角に立ち上がる壁部１４０で囲まれて作られている。壁部１４０は、側面１３６に対して平行な平行壁部１４０ａと、側面１３６に対して略直角で平行壁部１４０ａに連続し互いに等間隔で平行な５個の直角壁部１４０ｂが設けられ、側面１３６に対して略直角な４列の溝状の整列部１３８が形成されている。整列部１３８の幅は、収容される錠剤１４２の直径よりも僅かに広く設定され、錠剤１４２が一列に並べられるものであり、整列部１３８の長さは、錠剤１４２が４個並べられるものである。つまり整列部１３８には、４個の錠剤１４２が４列に並べられて、１６個収容される。壁部１４０の高さは、錠剤１４２の直径よりも低く設けられている。壁部１４０の上面から外ケース１１０の上面までの高さが、錠剤１４０の直径よりも大きく設定されているため、錠剤１４２は内ケース１１２の中で壁部１４０の上を通過する。なお、整列部１３８の列の向きは、側面１３６に対して平行でもよい。
【００７９】
内ケース１１２の、側面１３０，１３２の外側面には、複数個所の互いに対向する位置に、係止凹部１４４が設けられている。係止凹部１４４は、内ケース１１２の側面１３６が外ケース１１０の挿通孔１２２に位置して閉鎖するときに外ケース１１０の係止突起１２６に対向する位置と、内ケース１１２の壁部１４０の、平行壁部１４０ａが外ケース１１０の板体１２７に対向する位置に引き出されたときに外ケース１１０の係止突起１２６に対向する位置に設けられている。
【００８０】
次に、この実施形態の錠剤計量容器１０８の使用方法について説明する。内ケース１１２の、側面１３０，１３２，１３４と、平行壁部１４０ａで囲まれた空間が収容部１４６であり、ここに球状の錠剤１４２を入れ、外ケース１１０の挿通孔１２２から内ケース１１２を差し込みながら入れる。内ケース１１２は、側面１３６が外ケース１１０の挿通孔１２２に一致するときに、外ケース１１０の係止突起１２６が係止凹部１４４に差し込まれ、軽く係止される。このとき、外ケース１１０の挿通孔１２２は内ケース１１２の側面１３６に閉鎖され、錠剤１４２が通過しない閉鎖状態である。
【００８１】
錠剤計量容器１０８から錠剤１４２を取り出して服用するときは、図１２（ａ）に示すように、錠剤計量容器１０８を整列部１３８が下にくるように倒立させる。すると、錠剤１４２が壁部１４０を乗り越えて整列部１３８の中に入る。このとき錠剤１４２は、整列部１３８の中と、整列部１３８と上面１１４の間の空間に、整列部１３８の所定量より過剰に重なることがある。次に、内ケース１１２を外ケース１１０に対して摺動させ、挿通孔１２２から突出させる。内ケース１１２は、平行壁部１４０ａが外ケース１１０の挿通孔１２２に形成されている板体１２７に対向する位置で係止され、図１２（ｂ）に示すように開放状態となる。このとき、整列部１３８と上面１１４の間の空間に位置していた過剰の錠剤１４２は、外ケース１１０の板体１２７が移動するとき板体１２７に押されて壁部１４０を越えて収容部１４６や、空いていた整列部１３８に移動する。整列部１３８内の錠剤１４２は板体１２７に接触せず、移動することがない。このため整列部１３８には、錠剤１４２が正確に１６個残る。次に、錠剤計量容器１０８を傾けて整列部１３８の錠剤１４２を手のひらや容器に落下させて取り出す。収容部１４６内の錠剤１４２は、板体１２７と平行壁部１４０ａでさえぎられて外へ出ることがない。
なお、整列部１３８の大きさは、整列させる錠剤１４２の数に合わせて変更し、任意の数の錠剤１４２を取り出すものにすることができる。
【００８２】
この実施形態の錠剤計量容器１０８は、簡単な構造と簡単な操作で、確実に錠剤１４２を１６個ずつ、所定の場所に取り出すことができる。整列部１３８は、直角壁部１４０ｂにより平行な列に区切られているため、錠剤１４２を確実に整列させることができ、列の蛇行による計数の不足を防止できる。錠剤１４２を数える手間を省略することができ手間がかからず、また落下や紛失を防ぎ安全である。高齢者や障害者にも、簡単に処方された数の錠剤１４２を服用することができる。
【００８３】
なお、この発明の錠剤計量容器は、上記各実施形態に限定されるものではなく、収容部の形態は、瓶でもケースでもよく、収容部の形状に合わせて、導入部や固定係止部、可動係止部の形状を、適宜変更することができる。対向物との間の収容空間の大きさを広くすると、１回毎に取り出す錠剤の数を２個または３個に増やすことができる。整列部の形状や整列させる錠剤の数も適宜変更可能である。さらに、収容する収容物は、錠剤等の薬剤の他に、菓子等自由にいろいろな粒状物の製品に使用することができる。
【図面の簡単な説明】
【００８４】
【図１】この発明の第一実施形態の計量容器の閉鎖状態を示す縦断面図（ａ）と開放状態を示す縦断面図（ｂ）、錠剤を取り出した後の状態を示す縦断面図（ｃ）である。
【図２】この実施形態の計量容器の縦断面図である。
【図３】この実施形態の計量容器の押込部が外ケースに収容されている状態を示す斜視図（ａ）と、押込部が外ケースから突出している状態を示す斜視図（ｂ）である。
【図４】この発明の第二実施形態の計量容器の閉鎖状態を示す縦断面図（ａ）と開放状態を示す縦断面図（ｂ）、錠剤を取り出した後の状態を示す縦断面図（ｃ）である。
【図５】この発明の第二実施形態の計量容器の斜視図である。
【図６】この発明の第三実施形態の計量容器の閉鎖状態を示す縦断面図（ａ）と開放状態を示す縦断面図（ｂ）、錠剤を取り出した後の状態を示す縦断面図（ｃ）である。
【図７】この発明の第三実施形態の計量容器の斜視図である。
【図８】この発明の第四実施形態の計量容器の閉鎖状態を示す縦断面図（ａ）と開放状態を示す縦断面図（ｂ）、錠剤を取り出した後の状態を示す縦断面図（ｃ）である。
【図９】この発明の第四実施形態の計量容器の内ケース収納状態の縦断面図である。
【図１０】この発明の第五実施形態の計量容器の閉鎖状態を示す縦断面図（ａ）と開放状態を示す縦断面図（ｂ）、錠剤を取り出した後の状態を示す縦断面図（ｃ）である。
【図１１】この発明の第五実施形態の計量容器のキャップを閉じた状態の縦断面図である。
【図１２】その他の実施形態の計量容器の閉鎖状態を示す縦断面図（ａ）と開放状態を示す縦断面図（ｂ）である。
【図１３】その他の第七実施形態の計量容器の斜視図である。
【符号の説明】
【００８５】
５０  錠剤
５２  対向物
５４  収容空間
５６  錠剤計量容器
５８  外ケース
６０  内ケース
７４  容器開口部
７６  第一導入部突起
８６  弾性体
９０  内ケース開口部
９２  固定係止部
９４  押込部
９６  可動係止部
９８  第二導入部突起
【図１】
0005062756.tif 000002
【図２】
0005062756.tif 000003
【図３】
0005062756.tif 000004
【図４】
0005062756.tif 000005
【図５】
0005062756.tif 000006
【図６】
0005062756.tif 000007
【図７】
0005062756.tif 000008
【図８】
0005062756.tif 000009
【図９】
0005062756.tif 000010
【図１０】
0005062756.tif 000011
【図１１】
0005062756.tif 000012
【図１２】
0005062756.tif 000013
【図１３】
0005062756.tif 000014